(57)【特許請求の範囲】
【請求項１】
それ自体が発信局又は中継局又はビジタ局になりうる複数の交換機であって、ＩＳＤＮプロトコル及びＰＨＳローミング機能をサポートするものが通信線を介して接続されたネットワークシステムにおいて、
前記交換機は、
方路の交換を行なう通話路スイッチ部と、
該通話路スイッチ部を介して送られてきた加入者情報を受けて、方路の迂回を行なう迂回路制御手段と、
を具備し、
前記迂回路制御手段は、ホーム局収容のＰＳがビジタ局へ移動し、位置登録をした後、前記ＰＳ発信する場合において、ホーム局とビジタ局間の方路が全て使用中の時に、ホーム局にてＩＳＤＮレイヤ３の切断メッセージに付随可能な網間の制御情報をやりとりする情報要素にルーチング情報とＰＳ番号を編集し、発信局へ送出する手段と、発信局にてＩＳＤＮレイヤ３の呼設定メッセージに付随可能な網間の制御情報をやりとりする情報要素にＰＳ番号を編集し、ルーチング情報を基にビジタ局に迂回する手段とから構成されることを特徴とするネットワークの迂回制御システム。
【請求項２】
前記迂回路制御手段は、
発信局とホーム局間の中継局において、前記切断メッセージ受信時に、ルーチング情報を基にビジタ局へ迂回可能であれば、ＩＳＤＮレイヤ３の呼設定メッセージに付随可能な網間の制御情報をやりとりする情報要素にＰＳ番号を編集して迂回する手段と、
ビジタ局に迂回できない時に、前記切断メッセージを中継する手段とを具備することを特徴とする請求項１記載のネットワークの迂回制御システム。
【請求項３】
前記迂回路制御手段は、
ホーム局にてＩＳＤＮレイヤ３の切断メッセージにルーチング情報とＰＳ番号を編集するかしないかを選択する手段を具備することを特徴とする請求項１又は２記載のネットワークの迂回制御システム。
【請求項４】
前記迂回路制御手段は、
ホーム局収容のＰＳがビジタ局へ移動し、位置登録をした後、前記ＰＳへ発信する場合において、
ホーム局とビジタ局間の方路が全て使用中の時に、発信局にて切断メッセージ受信時に、付加サービスに使用するＩＳＤＮレイヤ３メッセージに付随可能な網間の制御情報をやりとりする情報要素にルーチング情報抽出要求を編集し、ホーム局へ送出する手段と、
ホーム局にて前記付加サービスに使用するＩＳＤＮレイヤ３メッセージ受信時に、ルーチング情報抽出要求があれば付加サービスに使用するＩＳＤＮレイヤ３メッセージに付随可能な網間の制御情報をやりとりする情報要素にルーチング情報とＰＳ番号を編集し、発信局へ送出する手段と、
発信局にて前記付加サービスに使用するＩＳＤＮレイヤ３メッセージ受信時に、ルーチング情報があればＩＳＤＮレイヤ３の呼設定メッセージに付随可能な網間の制御情報をやりとりする情報要素にＰＳ番号を編集し、ルーチング情報を基にビジタ局へ迂回する手段とを具備することを特徴とする請求項１記載のネットワークの迂回制御システム。
【請求項５】
前記迂回路制御手段は、
発信局とホーム局間の中継局において、前記ルーチング情報抽出処理要求を含むメッセージ受信時に中継する手段と、
前記ルーチング情報を含むメッセージ受信時に、ルーチング情報を基にビジタ局へ迂回可能であれば呼設定メッセージに付随可能な網間の制御情報をやりとりする情報要素にＰＳ番号を編集し迂回する手段と、
ＩＳＤＮレイヤ３メッセージに付随可能な網間の制御情報をやりとりする情報要素に迂回実施済を編集し発信局へ送出する手段と、
迂回できない場合に、前記ルーチング情報を含むメッセージを中継する手段とを具備することを特徴とする請求項４記載のネットワークの迂回制御システム。
【請求項６】
前記迂回路制御手段は、
発信局にてＩＳＤＮレイヤ３のルーチング情報抽出要求を含むメッセージを送信するかしないかを選択する手段を具備することを特徴とする請求項４又は５記載のネットワークの迂回制御システム。
【請求項７】
前記迂回路制御手段は、
発信局及び中継局にて、ビジタ局へ迂回するかしないかを選択する手段を具備することを特徴とする請求項１，請求項２，請求項４，請求項５の何れかに記載のネットワークの迂回制御システム。
【請求項８】
前記迂回路制御手段は、
付加サービスに使用するＩＳＤＮレイヤ３メッセージとしてＦＡＣＩＬＩＴＹメッセージを使用し、網間の制御情報のやりとりで使用する情報要素としてＦＡＣＩＬＩＴＹ情報要素を使用することを特徴とする請求項４又は５記載のネットワークの迂回制御システム。
【請求項９】
前記迂回路制御手段は、
付加サービスに使用するＩＳＤＮレイヤ３メッセージとして、ＦＡＣＩＬＩＴＹメッセージ又はＦＡＣＩＬＩＴＹ  ＡＣＫメッセージを使用し、網間の制御情報のやりとりで使用する情報要素としてＦＡＣＩＬＩＴＩＥＳ情報要素を使用することを特徴とする請求項４又は５記載のネットワークの迂回制御システム。
【発明の詳細な説明】
【０００１】
【発明の属する技術分野】
本発明はネットワークの迂回制御システムに関し、更に詳しくはＰＨＳ事業所間ローミング機能を実施しているネットワークにおいて、ＰＨＳ子機（ＰＳ）へのローミング着信を行なう場合、着信方路全使用中時に、自動的に迂回する交換機の制御システムに関するものである。ここで、ローミング機能とは、ＰＨＳが移動した時に、ビジタ局で位置登録するためにホーム局で持っている加入者データを利用することをいう。
【０００２】
近年、事業所内にて構内交換機のコードレス子機としてＰＨＳ端末を使用し、また事業所間にまたがるローミングサービスも提供しており、事業所間ローミング機能において、サービス性の向上を行っていく必要がある。
【０００３】
【従来の技術】
図１３は、従来システムの概念図である。図に示すシステムは、発信局１と、ホーム局２と、ビジタ局３とが通信線を介して接続されたネットワークを構成している。これら発信局１とホーム局２とビジタ局３は何れも交換機である。ホーム局はＰＨＳを管理している交換機、ビジタ局はＰＨＳの移動先の交換機である。発信局１において、４は加入者端末である。ホーム局２において、５はＰＨＳ（パーソナル・ハンディホン・システム）子機（ＰＳという）、６は該ＰＨＳ５と無線で通信を行なう無線基地局である。
【０００４】
７はホーム局２内に設けられた加入者データ記憶部であり、ネットワークシステムに属する全ての加入者に関するルーチング情報（ビジタ局の局番号＋内線番号）とＰＳ番号とが記憶されている。ビジタ局３において、６は無線基地局である。
【０００５】
このような構内交換機システムにおいて、ＰＨＳ５がホーム局２からビジタ局３に移動した場合、移動したビジタ局で位置登録する必要がある。そこで、ビジタ局３はホーム局２に対して該当ＰＨＳ５のＰＳ番号を問い合わせし、ホーム局２は、この問い合わせに対して、加入者データ記憶部７からＰＨＳ５の加入者情報とＰＳ番号をビジタ局３に通知する。通知された該当ＰＨＳに関する加入者情報は、ビジタ局３の加入者データ記憶部（図示せず）に記憶される。そして、ビジタ局３のルーティング情報をホーム局２へ通知し、ホーム局２の加入者データ記憶部７へＰＳ番号対応にルーティング情報が記憶される。このようにして、ＰＨＳ５が場所を移動した場合でも、発信局１からの発呼は、該当ＰＨＳに着信されるようになっている。
【０００６】
このように、従来の構内交換機におけるＰＨＳ事業所間ローミング着信機能では、ホーム局において、発信者からの着信信号受信時に、予め記憶されている位置情報をもとにルーチング情報及びＰＳ番号を付与した着信信号をＰＳのいるビジタ局に対して送信していた。また、ビジタ局では、ホーム局から送信されてくるルーチング情報によりＰＳを決定すると共に、ローミング着信時の誤接続対策のため送信されてきたＰＳ番号により着信すべきＰＳかを判定し、着信すべきＰＳに着信を行っていた。
【０００７】
【発明が解決しようとする課題】
前述した従来のシステムでは、ビジタ局３へ着信を行なうには、ホーム局２に記憶されているルーチング情報、ＰＳ番号による着信制御を行なう必要があり、ローミング着信時にホーム局でのビジタ局への方路がない場合には、ビジタ局のＰＳに対しては着信を行なうことはできないという問題があった。
【０００８】
本発明はこのような課題に鑑みてなされたものであって、ホーム局からビジタ局への方路がない場合でも、ホーム局のみに記憶されているルーチング情報とＰＳ番号を着信元回線に返送することにより、発信局又は発信局とホーム局間の中継局にて迂回され、ビジタ局のＰＳへの着信を可能とすることができるネットワークの迂回制御システムを提供することを目的としている。
【０００９】
【課題を解決するための手段】
（１）図１は本発明の原理ブロック図である。図１３と同一のものは、同一の符号を付して示す。図において、１０はそれ自体が発信局又は中継局又はビジタ局になりうる複数の交換機であって、ＩＳＤＮプロトコル及びＰＨＳローミング機能をサポートするものが通信線１１を介して接続されたネットワークシステムを構成している。前記交換機１０において、２０は方路の交換を行なう通話路スイッチ部、３０は該通話路スイッチ部２０を介して送られてきた加入者情報を受けて、方路の迂回を行なう迂回路制御手段である。４は交換機１０に接続される加入者端末、５はＰＨＳ、６は該ＰＨＳ５と無線で通信する無線基地局であり、交換機１０と接続されている。
【００１０】
この発明の構成によれば、前記迂回路制御手段３０は、ローミング着信時に、ホーム局に迂回路がない場合には、発信局の方に遡りながら、迂回路のある交換機を探していく。そして、迂回路のある交換機があったら、迂回路制御手段３０は、該交換機からビジタ局に対して通話路を設定する。
そして、前記迂回路制御手段３０は、ホーム局収容のＰＳがビジタ局へ移動し、位置登録をした後、前記ＰＳ発信する場合において、ホーム局とビジタ局間の方路が全て使用中の時に、ホーム局にてＩＳＤＮレイヤ３の切断メッセージに付随可能な網間の制御情報をやりとりする情報要素にルーチング情報とＰＳ番号を編集し、発信局へ送出する手段と、発信局にてＩＳＤＮレイヤ３の呼設定メッセージに付随可能な網間の制御情報をやりとりする情報要素にＰＳ番号を編集し、ルーチング情報を基にビジタ局に迂回する手段とから構成される。
これにより、ホーム局からビジタ局への方路がない場合でも、ホーム局のみに記憶されているルーチング情報とＰＳ番号を着信元回線に返送することにより、発信局又は発信局とホーム局間の中継局にて迂回され、ビジタ局のＰＳへの着信を可能とすることができる。また、迂回制御手段３０がＩＳＤＮレイヤ３呼設定メッセージにＰＳ番号を付加してルーチング情報を基にビジタ局に迂回させることにより、ホーム局とビジタ局間の通話路を設定することが可能となる。
【００１３】
（２）また、前記迂回路制御手段３０は、発信局とホーム局間の中継局において、前記切断メッセージ受信時に、ルーチング情報を基にビジタ局へ迂回可能であれば、ＩＳＤＮレイヤ３の呼設定メッセージに付随可能な網間の制御情報をやりとりする情報要素にＰＳ番号を編集して迂回する手段と、ビジタ局に迂回できない時に、前記切断メッセージを中継する手段とを具備することを特徴としている。
【００１４】
この発明の構成によれば、中継局の迂回路制御手段３０が切断メッセージを受信時に、ルーチング情報を基にビジタ局へ迂回可能であれば迂回手段により迂回し、ビジタ局に迂回できない時には、前記中継手段は該切断メッセージを発信局に送信することにより、ホーム局とビジタ局との間に通話路を設定することが可能となる。
【００１５】
（３）また、前記迂回路制御手段３０は、ホーム局にてＩＳＤＮレイヤ３の切断メッセージにルーチング情報とＰＳ番号を編集するかしないかを選択する手段を具備することを特徴としている。
【００１６】
この発明の構成によれば、ホーム局で切断メッセージにルーチング情報とＰＳ番号の編集をするかしないかを選択手段により選択できるので、迂回制御を行なう必要がない時には、ルーチング情報とＰＳ番号を編集しないようにすることができる。
【００１７】
（４）また、前記迂回路制御手段３０は、ホーム局収容のＰＳがビジタ局へ移動し、位置登録をした後、前記ＰＳへ発信する場合において、ホーム局とビジタ局間の方路が全て使用中の時に、発信局にて切断メッセージ受信時に、付加サービスに使用するＩＳＤＮレイヤ３メッセージに付随可能な網間の制御情報をやりとりする情報要素にルーチング情報抽出要求を編集し、ホーム局へ送出する手段と、ホーム局にて前記付加サービスに使用するＩＳＤＮレイヤ３メッセージ受信時に、ルーチング情報抽出要求があれば付加サービスに使用するＩＳＤＮレイヤ３メッセージに付随可能な網間の制御情報をやりとりする情報要素にルーチング情報とＰＳ番号を編集し、発信局へ送出する手段と、発信局にて前記付加サービスに使用するＩＳＤＮレイヤ３メッセージ受信時に、ルーチング情報があればＩＳＤＮレイヤ３の呼設定メッセージに付随可能な網間の制御情報をやりとりする情報要素にＰＳ番号を編集し、ルーチング情報を基にビジタ局へ迂回する手段とを具備することを特徴としている。
【００１８】
この発明の構成によれば、ホーム局とビジタ局間の方路が全て使用中の時に、発信局は送出手段がルーチング情報抽出要求をホーム局へ送出し、ホーム局ではこのメッセージを受信すると、送出手段がルーチング情報とＰＳ番号を付加して発信局に送出し、一方迂回手段は、ルーチング情報を基にビジタ局に迂回することにより、ホーム局とビジタ局間の通話路を設定することが可能となる。
【００１９】
（５）また、前記迂回路制御手段３０は、発信局とホーム局間の中継局において、前記ルーチング情報抽出処理要求を含むメッセージ受信時に中継する手段と、前記ルーチング情報を含むメッセージ受信時に、ルーチング情報を基にビジタ局へ迂回可能であれば呼設定メッセージに付随可能な網間の制御情報をやりとりする情報要素にＰＳ番号を編集し迂回する手段と、ＩＳＤＮレイヤ３メッセージに付随可能な網間の制御情報をやりとりする情報要素に迂回実施済を編集し発信局へ送出する手段と、迂回できない場合に、前記ルーチング情報を含むメッセージを中継する手段とを具備することを特徴としている。
【００２０】
この発明の構成によれば、中継局において、ルーチング情報抽出要求を中継手段により中継し、ルーチング情報を基にビジタ局に迂回可能である場合には迂回手段によりＰＳ番号を付加して迂回し、送出手段が迂回実施済みを発信局に送出し、迂回できない場合には中継手段がメッセージを他の局に中継することにより、当該中継局で迂回可能な場合には迂回を実施し、迂回不可能な場合には、次の中継局にメッセージを中継することにより、最終的にホーム局とビジタ局間の通話路を設定することが可能となる。
【００２１】
（６）また、前記迂回制御手段３０は、発信局にてＩＳＤＮレイヤ３のルーチング情報抽出要求を含むメッセージを送信するかしないかを選択する手段を具備することを特徴としている。
【００２２】
この発明の構成によれば、発信局側でルーチング情報抽出要求をするかしないかを必要に応じて選択することが可能となる。
（７）また、前記迂回路制御手段３０は、発信局及び中継局にて、ビジタ局へ迂回するかしないかを選択する手段を具備することを特徴としている。
【００２３】
この発明の構成によれば、発信局及び中継局にて、ビジタ局へ迂回するかしないかを必用に応じて選択することが可能となる。
【００２５】
（８）また、前記迂回路制御手段３０は、付加サービスに使用するＩＳＤＮレイヤ３メッセージとしてＦＡＣＩＬＩＴＹメッセージを使用し、網間の制御情報のやりとりで使用する情報要素としてＦＡＣＩＬＩＴＹ情報要素を使用することを特徴としている。
【００２６】
この発明の構成によれば、迂回路設定制御のために、ＦＡＣＩＬＩＴＹ情報要素を使用することが可能となる。
（９）更に、前記迂回路制御手段３０は、付加サービスに使用するＩＳＤＮレイヤ３メッセージとして、ＦＡＣＩＬＩＴＹメッセージ又はＦＡＣＩＬＩＴＹ  ＡＣＫメッセージを使用し、網間の制御情報のやりとりで使用する情報要素としてＦＡＣＩＬＩＴＩＥＳ情報要素を使用することを特徴としている。
【００２７】
この発明の構成によれば、ＦＡＣＩＬＩＴＩＥＳ情報要素を使用するため、迂回路設定のために、ＦＡＣＩＬＩＴＹメッセージ及びＦＡＣＩＬＩＴＹ  ＡＣＫメッセージを使用することが可能となる。
【００２８】
【発明の実施の形態】
以下、図面を参照して本発明の実施の形態例を詳細に説明する。
図２は本発明の交換機の一実施の形態例を示すブロック図である。図１と同一のものは、同一の符号を付して示す。１０はそれ自体が発信局又は中継局又はビジタ局になりうる交換機であり、これら交換機が通信線で接続されてネットワークを構成している。交換機１０において、２０は方路の交換を行なう通話路スイッチ部、３０Ａは各種の制御を行なう中央制御装置、３０Ｂは各種情報を記憶する主記憶装置である。中央制御装置３０Ａと主記憶装置３０Ｂとで図１の迂回路制御手段３０を構成している。迂回路制御手段３０は、通話路スイッチ部２０と接続されている。
【００２９】
中央制御装置３０Ａはプロトコル制御部３１と、交換サービス制御部３２より構成されている。プロトコル制御部３１において、４１はメッセージの編集や送信処理を行なうメッセージ送信制御部、４２は中継用のメッセージを編集するメッセージ中継制御部、４３は受信メッセージの内容を識別するメッセージ受信制御部である。交換サービス制御部３２において、４４はチャネルの捕捉処理を行なうチャネル捕捉制御部、４５はＰＳ番号を抽出し、或いは設定するＰＳ番号管理部、４６はサービス選択の抽出／判定を行なうサービス選択制御部である。
【００３０】
主記憶装置３０Ｂにおいて、５１はＰＳ対応にＰＳ番号とルーチング情報（ビジタ局の局番号＋ＰＳの内線番号）を管理している管理テーブル、５２はルーチング情報編集選択、ビジタ局への迂回選択、ルーチング情報抽出要求選択を管理しているサービス選択フラグである。
【００３１】
７は交換機１０に設けられたトランク（集線部）、４は交換機１０に接続された加入者端末、６は交換機１０に接続された無線基地局、５はＰＨＳ（パーソナル・ハンディホン・システム）である。６０はトランク７と接続された私設網、６１は同じくトランク７と接続された公衆網である。私設網６０及び公衆網６１には必要に応じて交換機１０が接続されている。この交換機１０は、図に示す交換機と同じ構成を持つものである。このように構成されたシステムの動作を以下に説明する。
【００３２】
図３は本発明の第１の実施の形態例の動作を示すシーケンス図で、ホーム局収容のＰＳがビジタ局へ移動し、位置登録をした後、前記ＰＳへ発信局から発信する場合における発信局とホーム局とビジタ局との間のやりとりを示している。
【００３３】
ホーム局にて、ビジタ局へのローミング転送を検出すると（Ｓ１）、ホーム局のＰＳ番号管理部４５は、管理テーブル５１内にルーチング情報（ビジタ局の局番号と内線番号）があるかどうかチェックする（Ｓ２）。ルーチング情報がない場合には既存の処理（例えば通常のＤＩＳＣ送信処理）を行なう（Ｓ３）。ルーチング情報がある場合には、チャネル捕捉制御部４４が、ルーチング情報を基にビジタ局への方路（チャネル）が全て使用中であるかどうかチェックする（Ｓ４）。全て使用中でない場合、チャネルを捕捉することができたら、ホーム局は通常のローミング転送処理を実施する（Ｓ５）。
【００３４】
方路が全て使用中で、チャネルを捕捉することができない場合、サービス選択制御部４６は、サービス選択フラグ５２のルーチング情報編集選択が可能かどうかチェックする（Ｓ６）。ルーチング情報編集選択が不可能の時、既存の処理（例えば通常のＤＩＳＣ送信処理）を行なう（Ｓ７）。ルーチング情報編集選択が可能な時、メッセージ送信制御部４１で、ＩＳＤＮレイヤ３の切断メッセージであるＤＩＳＣに付随可能な網間の制御情報をやりとりする情報要素（ファシリティ情報要素）にルーチング情報とＰＳ番号を編集し（Ｓ８）、ＤＩＳＣに該ファシリティ情報要素を付加して発信局にＤＩＳＣ送信する（Ｓ９）。
【００３５】
発信局では、メッセージ受信制御部４３でＤＩＳＣを受信すると（Ｓ１０）、ファシリティ情報要素にルーチング情報があるかどうかチェックする（Ｓ１１）。ルーチング情報がない場合には既存の処理（例えば発信端末への切断通知）を行なうが（Ｓ１５）、ある場合にはサービス選択制御部４６がサービス選択フラグ５２を参照してビジタ局への迂回選択が可能であるかどうかチェックする（Ｓ１２）。そして、迂回不可能な時は既存の処理を行なうが（Ｓ１５）、迂回可能な時にはチャネル捕捉制御部４４がルーチング情報を基にビジタ局への迂回路があるかどうかチェックする（Ｓ１３）。ない場合には、既存の処理を行なうが（Ｓ１５）、ある場合には迂回ルートが全て使用中かどうかチェックする（Ｓ１４）。
【００３６】
方路が全て使用中の場合には、既存の処理を行なうが（Ｓ１５）、空いている方路がある場合には、メッセージ送信制御部４１がファシリティ情報要素にＰＳ番号を編集し（Ｓ１６）、呼設定メッセージであるＳＥＴＵＰに該ファシリティ情報要素を付加して空いている方路よりビジタ局へＳＥＴＵＰ送信する（Ｓ１７）。
【００３７】
この実施の形態例によれば、送出手段がホーム局から発信局に対してＩＳＤＮレイヤ３切断メッセージにルーチング情報とＰＳ番号を付加して送出し、迂回手段がＩＳＤＮレイヤ３呼設定メッセージにＰＳ番号を付加してルーチング情報を基にビジタ局に迂回させることにより、ホーム局とビジタ局間の通話路を設定することが可能となる。
【００３８】
また、ホーム局で切断メッセージにルーチング情報とＰＳ番号の編集をするかしないかを選択する手段を設けておくと、該選択手段によりルーチング情報とＰＳ番号を編集するかしないかを選択できるので、迂回制御を行なう必要がない時には、ルーチング情報とＰＳ番号を編集しないようにすることができる。
【００３９】
更に、前記迂回路制御手段３０は、発信局及び中継局にて、ビジタ局へ迂回するかしないかを選択する手段を具備することにより、発信局及び中継局にて、ビジタ局へ迂回するかしないかを必要に応じて選択することが可能となる。
【００４０】
図４は本発明の第２の実施の形態例の動作を示すシーケンス図である。この実施の形態例は、ホーム局収容のＰＳがビジタ局へ移動し、位置登録をした後、前記ＰＳへ発信局から発信する場合における中継局の動作を示している。
【００４１】
中継局のメッセージ受信制御部４３でＤＩＳＣを受信すると（Ｓ１）、該メッセージ受信制御部４３は、ファシリティ情報要素にルーチング情報があるかどうかチェックする（Ｓ２）。ない場合には、迂回不可能な場合には、メッセージ中継制御部４２が、受信ＤＩＳＣの情報を送信ＤＩＳＣに編集し（Ｓ３）、方路より発信局へＤＩＳＣを送信する（Ｓ４）。ある場合には、サービス選択制御部４６がサービス選択フラグ５２を参照して、ビジタ局への迂回選択が可能であるかどうかチェックする（Ｓ５）。
【００４２】
ビジタ局への迂回選択が不可能な場合、ステップＳ３，Ｓ４の処理を行なう。迂回選択が可能な場合、チャネル捕捉制御部４４がルーチング情報を基にビジタ局への迂回ルート（チャネル）があるかどうかチェックする（Ｓ６）。ない場合には、ステップＳ３，Ｓ４の処理を行なう。ある場合には、チャネル捕捉制御部４４は、迂回ルートが全使用中であるかどうかをチェックする（Ｓ７）。全使用中の場合には、ステップＳ３，Ｓ４の処理を行なう。空いている迂回ルートがある場合には、メッセージ送信制御部４１がファシリティ情報要素にＰＳ番号を編集し（Ｓ８）、ＳＥＴＵＰに該ファシリティ情報要素を付加して迂回ルートよりビジタ局へＳＥＴＵＰ送信する（Ｓ９）。
【００４３】
この実施の形態例によれば、中継局の迂回路制御手段３０が切断メッセージを受信時に、ルーチング情報を基にビジタ局へ迂回可能であれば迂回手段により迂回し、ビジタ局に迂回できない時には、前記中継手段は該切断メッセージを発信局に送信することにより、ホーム局とビジタ局との間に通話路を設定することが可能となる。
【００４４】
また、ホーム局で切断メッセージにルーチング情報とＰＳ番号の編集をするかしないかを選択する手段を設けておくと、該選択手段によりルーチング情報とＰＳ番号を編集するかしないかを選択できるので、迂回制御を行なう必要がない時には、ルーチング情報とＰＳ番号を編集しないようにすることができる。
【００４５】
更に、前記迂回路制御手段３０は、発信局及び中継局にて、ビジタ局へ迂回するかしないかを選択する手段を具備することにより、発信局及び中継局にて、ビジタ局へ迂回するかしないかを必要に応じて選択することが可能となる。
【００４６】
図５は本発明の第３の実施の形態例の動作を示すシーケンス図である。この実施の形態例は、ホーム局収容のＰＳがビジタ局へ移動し、位置登録をした後、前記ＰＳへ発信局から発信する場合における発信局とホーム局とビジタ局との間のやりとりを示している。発信局のメッセージ受信制御部４３でメッセージ切断要求であるＤＩＳＣを受信すると（Ｓ１）、サービス選択制御部４６はサービス選択フラグ５２を参照してルーチング情報抽出要求編集選択が可能であるかどうかチェックする（Ｓ２）。編集不可能である場合には、既存の処理（例えば発信端末への切断通知）を行なう（Ｓ３）。編集可能な場合には、メッセージ送信制御部４１は、ファシリティ情報要素にルーチング情報抽出要求を編集し（Ｓ４）、ＦＡＣＩＬＩＴＹに該ファシリティ情報要素を付加して方路（チャネル）よりホーム局へＦＡＣＩＬＩＴＹ送信する（Ｓ５）。
【００４７】
ホーム局側では、メッセージ受信制御部４３がＦＡＣＩＬＩＴＹを受信すると（Ｓ６）、ルーチング情報抽出要求があるかどうかチェックする（Ｓ７）。ない場合にはファシリティ情報要素にエラー情報を設定し（Ｓ８）、ＦＡＣＩＬＩＴＹ送信する。ある場合には、ＰＳ番号管理部４５が管理テーブル５１からルーチング情報とＰＳ番号を抽出し、メッセージ送信制御部４１がファシリティ情報要素に抽出したルーチング情報とＰＳ番号を編集し（Ｓ９）、ＦＡＣＩＬＩＴＹ（又は別のプロトコルであるＦＡＣＩＬＩＴＹ  ＡＣＫ。以下同じ）に該ファシリティ情報要素を付加して方路（チャネル）より発信局にＦＡＣＩＬＩＴＹ送信する（Ｓ１０）。
【００４８】
発信局では、メッセージ受信制御部４３がＦＡＣＩＬＩＴＹ（ＦＡＣＩＬＩＴＹ  ＡＣＫ）を受信すると（Ｓ１１）、ファシリティ情報要素に迂回実施済みがあるかどうかチェックし（Ｓ１２）、ある場合、チャネルを保持しておくが（Ｓ１３）、ない場合、ファシリティ情報要素にルーチング情報があるかどうかチェックする（Ｓ１４）。そして、ない場合既存の処理（例えば発信端末への切断通知）を行なう（Ｓ１８）。ある場合、サービス選択制御部４６がサービス選択フラグ５２を参照して、ビジタ局への迂回選択が可能であるかどうかチェックする（Ｓ１５）。
【００４９】
迂回選択が不可能な場合には既存の処理を行なうが（Ｓ１８）、迂回選択が可能な場合には、チャネル捕捉制御部４４がルーチング情報を基にビジタ局への迂回チャネル（方路）があるかどうかチェックする（Ｓ１６）。ない時には既存の処理を行なうが（Ｓ１８）、ある場合には迂回ルートが全て使用中であるかどうかチェックする（Ｓ１７）。迂回ルートが全て使用中の時には既存の処理を行なうが（Ｓ１８）、空いている場合にはメッセージ送信制御部４１がファシリティ情報要素にＰＳ番号を編集し（Ｓ１９）、ＳＥＴＵＰに該ファシリティ情報要素を付加してチャネル（方路）よりビジタ局へＳＥＴＵＰ送信する（Ｓ２０）。
【００５０】
この実施の形態例によれば、ホーム局とビジタ局間の方路が全て使用中の時に、発信局は送出手段がルーチング情報抽出要求をホーム局へ送出し、ホーム局ではこのメッセージを受信すると、送出手段がルーチング情報とＰＳ番号を付加して発信局に送出し、一方迂回手段は、ルーチング情報を基にビジタ局に迂回することにより、ホーム局とビジタ局間の通話路を設定することが可能となる。
【００５１】
また、迂回路制御手段が、発信局にてＩＳＤＮレイヤ３のルーチング情報抽出要求を含むメッセージを送信するかしないかを選択する手段を具備することにより、発信局側でルーチング情報抽出要求をするかしないかを必要に応じて選択することが可能になる。
【００５２】
更に、迂回路制御手段が、発信局及び中継局にて、ビジタ局へ迂回するかしないかを選択する手段を具備することにより、発信局及び中継局にて、ビジタ局へ迂回するかしないかを必要に応じて選択することが可能となる。
【００５３】
図６は本発明の第４の実施の形態例の動作を示すシーケンス図である。この実施の形態例は、ホーム局収容のＰＳがビジタ局へ移動し、位置登録をした後、前記ＰＳへ発信局から発信する場合における中継局の動作を示している。中継局において、メッセージ受信制御部４３は、ＦＡＣＩＬＩＴＹメッセージを受信すると（Ｓ１）、メッセージ中継制御部４２が受信ＦＡＣＩＬＩＴＹの情報を送信ＦＡＣＩＬＩＴＹに編集し（Ｓ２）、チャネル（方路）からホーム局へＦＡＣＩＬＩＴＹ送信する（Ｓ３）。
【００５４】
中継局では、メッセージ受信制御部４３がＦＡＣＩＬＩＴＹ（ＦＡＣＩＬＩＴＹ  ＡＣＫ）を受信すると（Ｓ４）、ファシリティ情報要素にファシリティ情報があるかどうかチェックする（Ｓ５）。ない場合には、メッセージ中継制御部４２が受信ＦＡＣＩＬＩＴＹ（ＦＡＣＩＬＩＴＹ  ＡＣＫ）の情報を送信ＦＡＣＩＬＩＴＹ（ＦＡＣＩＬＩＴＹ  ＡＣＫ）に編集し（Ｓ６）、チャネル（方路）より発信局へＦＡＣＩＬＩＴＹ送信する（Ｓ７）。ある場合には、サービス選択制御部４６がサービス選択フラグ５２を参照して、ビジタ局への迂回選択が可能であるかどうかチェックする（Ｓ８）。迂回選択が不可能な場合、メッセージ中継制御部４２が受信ＦＡＣＩＬＩＴＹ（ＦＡＣＩＬＩＴＹ  ＡＣＫ）の情報を送信ＦＡＣＩＬＩＴＹ（ＦＡＣＩＬＩＴＹ  ＡＣＫ）に編集し（Ｓ６）、チャネル（方路）より発信局へＦＡＣＩＬＩＴＹ送信する（Ｓ７）。
【００５５】
迂回選択が可能な場合、チャネル捕捉制御部４４がルーチング情報を基にビジタ局への迂回ルートがあるかどうかチェックする（Ｓ９）。迂回ルートがない時にはステップＳ６，Ｓ７の処理を行なう。迂回ルートがある時には、全ての迂回ルートが使用中であるかどうかチェックする（Ｓ１０）。全ての迂回ルートが使用中の時には、ステップＳ６，Ｓ７の処理を行なう。迂回ルートに空きがある場合には、メッセージ送信制御部４１がファシリティ情報要素に迂回実施済みを編集し（Ｓ１１）、ＦＡＣＩＬＩＴＹに該ファシリティ情報要素を付加してチャネル（方路）より発信局へＦＡＣＩＬＩＴＹ送信する（Ｓ１２）。それと共に、ファシリティ情報要素にＰＳ番号を編集し（Ｓ１３）、ＳＥＴＵＰに該ファシリティ情報要素を付加してチャネル（方路）よりビジタ局へＳＥＴＵＰ送信する（Ｓ１４）。
【００５６】
この実施の形態例によれば、中継局において、ルーチング情報抽出要求を中継手段により中継し、ルーチング情報を基にビジタ局に迂回可能である場合には迂回手段によりＰＳ番号を付加して迂回し、送出手段が迂回実施済みを発信局に送出し、迂回できない場合には中継手段がメッセージを他の局に中継することにより、当該中継局で迂回可能な場合には迂回を実施し、迂回不可能な場合には、次の中継局にメッセージを中継することにより、最終的にホーム局とビジタ局間の通話路を設定することが可能となる。
【００５７】
また、迂回路制御手段が、発信局にてＩＳＤＮレイヤ３のルーチング情報抽出要求を含むメッセージを送信するかしないかを選択する手段を具備することにより、発信局側でルーチング情報抽出要求をするかしないかを必要に応じて選択することが可能になる。
【００５８】
更に、迂回路制御手段が、発信局及び中継局にて、ビジタ局へ迂回するかしないかを選択する手段を具備することにより、発信局及び中継局にて、ビジタ局へ迂回するかしないかを必要に応じて選択することが可能となる。
【００５９】
図７は本発明の第５の実施の形態例の動作を示すシーケンス図で、ホーム局収容のＰＳがビジタ局へ移動し、位置登録をした後、前記ＰＳへ発信局から発信する場合における発信局又は中継局の動作を示している。発信局或いは中継局にて、メッセージ受信制御部４３がＤＩＳＣか又はＦＡＣＩＬＩＴＹ（ＦＡＣＩＬＩＴＹ  ＡＣＫ）を受信すると（Ｓ１）、該メッセージ受信制御部４３はファシリティ情報要素にルーチング情報があるかどうかチェックする（Ｓ２）。ない場合には既存の処理（例えば発信端末へ切断通知）を行なうが（Ｓ３）、ある場合にはチャネル捕捉制御部４４がルーチング情報を基にビジタ局への私設網用迂回ルート（チャネル）があり、これら迂回ルートが全使用中でないかどうかチェックする（Ｓ４）。
【００６０】
私設網用迂回ルートがあり、これら迂回ルートが全使用中でない場合には、ローミング迂回処理を行なう（Ｓ５）。ビジタ局への私設網迂回ルートがない場合或いはチャネルが全使用中の場合には、ビジーアドバンスサービス（中継線が全て使用中の時に番号変換により局線（公衆網）へ迂回するサービス）により、ビジタ局への公衆網用の迂回ルートがあるかどうかチェックする（Ｓ６）。ない場合には既存の処理（発信端末への切断通知）を行なうが（Ｓ７）、ある場合には、公衆網の迂回ルートが全て使用中であるかどうかチェックする（Ｓ８）。
【００６１】
全て使用中の場合には、既存の処理を行なう（Ｓ７）。迂回ルートが空いている場合には、メッセージ送信制御部４１がユーザ・ユーザ情報要素にＰＳ番号を編集し（Ｓ９）、ＳＥＴＵＰに該ユーザ・ユーザ情報要素を付加してチャネル（方路）よりビジタ局へＳＥＴＵＰ送信する（Ｓ１０）。
【００６２】
ビジタ局では、メッセージ受信制御部４３がＳＥＴＵＰを受信し（Ｓ１１）、ユーザ・ユーザ情報要素にＰＳ番号があるかどうかチェックする（Ｓ１２）。ない場合には既存の処理（例えば通常の着信処理）を行なうが（Ｓ１３）、ある場合にはＰＳ番号管理部４５が、ユーザ・ユーザ情報要素からＰＳ番号を抽出し、該ＰＳに着信させる（Ｓ１４）。
【００６４】
本発明によれば、前記迂回路制御手段３０は、付加サービスに使用するＩＳＤＮレイヤ３メッセージとしてＦＡＣＩＬＩＴＹメッセージを使用し、網間の制御情報のやりとりで使用する情報要素としてＦＡＣＩＬＩＴＹ情報要素を使用することができる。これにより、迂回路設定制御のために、ＦＡＣＩＬＩＴＹ情報要素を使用することが可能となる。
【００６５】
更に、前記迂回路制御手段３０は、付加サービスに使用するＩＳＤＮレイヤ３メッセージとして、ＦＡＣＩＬＩＴＹメッセージ及びＦＡＣＩＬＩＴＹ  ＡＣＫメッセージを使用し、網間の制御情報のやりとりで使用する情報要素としてＦＡＣＩＬＩＴＩＥＳ情報要素を使用することができる。これにより、ＦＡＣＩＬＩＴＩＥＳ情報要素を使用するため、迂回路設定のために、ＦＡＣＩＬＩＴＹメッセージ及びＦＡＣＩＬＩＴＹ  ＡＣＫメッセージを使用することが可能となる。
【００６６】
次に、本発明のシステム構成図について説明する。図８は本発明の一実施の形態例を示すブロック図である。図１，図２と同一のものは、同一の符号を付して示す。図において、１０は交換機で、発信局と、中継局と、ホーム局と、ビジタ局を構成している。▲１▼〜▲５▼は各交換機間を接続する通話路（チャネル）、７は各通話路と交換機間に設けられたトランクである。４は発信局に設けられた加入者端末、６はビジタ局に設けられた無線基地局、５は該無線基地局６と無線で通信を行なうＰＨＳである。図に示す加入者端末４を内線ａ、ＰＨＳ５をＰＳｂとする。このように構成されたシステムの動作を説明すれば、以下の通りである。
【００６７】
ホーム局で管理されているＰＨＳがビジタ局へ移動し、位置登録を行なうとビジタ局へのルーチング情報がホーム局で管理される。その後、内線ａからＰＳｂに発信する場合を考える。ホーム局とビジタ局間の通話路▲３▼が全使用中であれば、ホーム局はファシリティ情報要素にルーチング情報とＰＳ番号を編集し、ＤＩＳＣに付加して通話路▲２▼から中継局に送信する。
【００６８】
中継局は、ＤＩＳＣを受信すると、ルーチング情報を基にビジタ局への迂回路▲４▼があり、全使用中でない場合、ファシリティ情報要素にＰＳ番号を編集し、ＳＥＴＵＰに付加してビジタ局へ送信する。ここで、ビジタ局への迂回路▲４▼がない場合、或いは全使用中の場合、受信したＤＩＳＣの情報を送信用ＤＩＳＣに編集して通話路▲１▼から発信局へ送信する。
【００６９】
発信局は、ＤＩＳＣを受信すると、ルーチング情報を基にビジタ局への迂回路▲５▼があり、全使用中でない場合、ファシリティ情報要素にＰＳ番号を編集し、ＳＥＴＵＰに付加して通話路▲５▼からビジタ局へ送信する。ここで、ビジタ局への迂回路▲５▼がないか或いは全使用中の場合、発信局は内線ａに切断を通知する。
この実施の形態例によれば、送出手段がホーム局から発信局に対してＩＳＤＮレイヤ３切断メッセージにルーチング情報とＰＳ番号を付加して送出し、迂回手段がＩＳＤＮレイヤ３呼設定メッセージにＰＳ番号を付加してルーチング情報を基にビジタ局に迂回させることにより、ホーム局とビジタ局間の通話路を設定することが可能となる。
【００７０】
また、中継局の迂回路制御手段３０が切断メッセージを受信時に、ルーチング情報を基にビジタ局へ迂回可能であれば迂回手段により迂回し、ビジタ局に迂回できない時には、前記中継手段は該切断メッセージを発信局に送信することにより、ホーム局とビジタ局との間に通話路を設定することが可能となる。
【００７１】
図９は本発明の他の実施の形態例を示すブロック図である。図２，図８と同一のものは、同一の符号を付して示す。このように構成されたシステムの動作を説明すれば、以下の通りである。
【００７２】
ホーム局で管理されているＰＳｂがビジタ局へ移動し、位置登録を行なうとビジタ局へのルーチング情報がホーム局で管理される。その後、内線ａからＰＳｂへ発信するものとする。ホーム局とビジタ局間の通話路▲３▼が全使用中であれば、ホーム局にてＤＩＳＣを編集し、発信局へ通話路▲２▼→中継局→通話路▲１▼を介して送出する。
【００７３】
発信局では、ＤＩＳＣを受信すると、ファシリティ情報要素にルーチング情報抽出要求を編集し、ＦＡＣＩＬＩＴＹに付加して通話路▲１▼→中継局→通話路▲２▼を介してホーム局へ送信する。
【００７４】
この場合において、中継局ではＦＡＣＩＬＩＴＹを受信すると、ファシリティ情報要素にルーチング情報抽出要求があれば、該ＦＡＣＩＬＩＴＹをそのまま中継する。
【００７５】
ホーム局では、通話路▲２▼から送られてきたＦＡＣＩＬＩＴＹを受信すると、ファシリティ情報要素にルーチング情報抽出要求があれば、ルーチング情報とＰＳ番号を管理テーブル５１から抽出し、ファシリティ情報要素に編集し、ＦＡＣＩＬＩＴＹに付加して中継局へ通話路▲２▼を介して送信する。
【００７６】
中継局では、ＦＡＣＩＬＩＴＹを受信すると、ルーチング情報を基にビジタ局への迂回路▲４▼があり、全使用中でない場合、ファシリティ情報要素にＰＳ番号を編集し、ＳＥＴＵＰに付加してビジタ局へ送信すると共に、ファシリティ情報要素に迂回実施済みを編集し、ＦＡＣＩＬＩＴＹに付加して通話路▲１▼から発信局へ送信する。ここで、ビジタ局への迂回路▲４▼がないか或いは全使用中の場合、受信したＦＡＣＩＬＩＴＹの情報を送信用ＦＡＣＩＬＩＴＹに編集して、通話路▲１▼から発信局へ送信する。
【００７７】
発信局では、ＦＡＣＩＬＩＴＹを受信すると、ファシリティ情報要素に迂回実施済みがあれば、そのチャネルを保持し、ルーチング情報があればルーチング情報を基にビジタ局への迂回路▲５▼があるが、全使用中の場合、ビジーアドバンスサービスにより、ビジタ局への公衆網６１の迂回路▲６▼があれば、ユーザ・ユーザ情報要素にＰＳ番号を編集し、ＳＥＴＵＰに付加してビジタ局へ送信する。ビジタ局では、ＳＥＴＵＰを受信すると、ユーザ・ユーザ情報要素にＰＳ番号があれば、ＰＳｂに着信させる。
【００７８】
この実施の形態例によれば、ホーム局とビジタ局間の方路が全て使用中の時に、発信局は送出手段がルーチング情報抽出要求をホーム局へ送出し、ホーム局ではこのメッセージを受信すると、送出手段がルーチング情報とＰＳ番号を付加して発信局に送出し、一方迂回手段は、ルーチング情報を基にビジタ局に迂回することにより、ホーム局とビジタ局間の通話路を設定することが可能となる。
【００７９】
また、中継局において、ルーチング情報抽出要求を中継手段により中継し、ルーチング情報を基にビジタ局に迂回可能である場合には迂回手段によりＰＳ番号を付加して迂回し、送出手段が迂回実施済みを発信局に送出し、迂回できない場合には中継手段がメッセージを他の局に中継することにより、当該中継局で迂回可能な場合には迂回を実施し、迂回不可能な場合には、次の中継局にメッセージを中継することにより、最終的にホーム局とビジタ局間の通話路を設定することが可能となる。
【００８０】
更に、迂回する中継線が全て使用中の時に、ユーザ・ユーザ情報要素にＰＳ番号を編集し、ビジタ局にてこのＰＳ番号を抽出することにより、空いている局線（公衆網）を使用して迂回路を形成することが可能となる。
【００８１】
上述の説明で、種々の種類のファシリティ情報要素フォーマットを用いて、迂回ルート設定動作を行なう場合を示した。以下に、ファシリティ情報要素フォーマットの具体例を示す。図１０はルーチング情報がある時のファシリティ情報要素フォーマット例を示す図である。フォーマットは、８ビットのデータが直列に重なる形式で構成される。ヘッダの後に、ルーチング情報とＰＳ番号が付加されていることが分かる。図の右側に示す“１Ｃ”，“９Ｃ”等は、８ビットのデータを１６進で示したものである。なお、“ｘｘ”は値が可変であることを示している。コンポーネント種別タグについては、メッセージがＤＩＳＣの時にインボーク（Ａ１）で、ＦＡＣＩＬＩＴＹの時リターンリザルト（Ａ２）が設定される。
【００８２】
図１１はルーチング情報抽出要求／迂回実施済み時のファシリティ情報要素フォーマット例を示す図である。ローミング迂回タグが付加されていることが分かる。最終段の“ｘｘ”値は、“０１”の時にルーチング情報抽出要求、“０２”の時に迂回実施済みを示している。コンポーネント識別タグについては、ルーティング情報抽出要求の時にインボーグ（Ａ１）で迂回実施済みの時リターンリザルト（Ａ２）が設定される。図１２はＰＳ番号のみのファシリティ情報要素フォーマット例を示す図である。最終段にＰＳ番号が付加されていることが分かる。
【００８３】
【発明の効果】
以上、詳細に説明したように、本発明によれば、
（１）それ自体が発信局又は中継局又はビジタ局になりうる複数の交換機であって、ＩＳＤＮプロトコル及びＰＨＳローミング機能をサポートするものが通信線を介して接続されたネットワークシステムにおいて、前記交換機は、方路の交換を行なう通話路スイッチ部と、該通話路スイッチ部を介して送られてきた加入者情報を受けて、方路の迂回を行なう迂回路制御手段とを具備することにより、
前記迂回路制御手段は、ローミング着信時に、ホーム局に迂回路がない場合には、発信局の方に遡りながら、迂回路のある交換機を探していき、迂回路のある交換機があったら、迂回路制御手段は、該交換機からビジタ局に対して通話路を設定する。これにより、ホーム局からビジタ局への方路がない場合でも、ホーム局のみに記憶されているルーチング情報とＰＳ番号を着信元回線に返送することにより、発信局又は発信局とホーム局間の中継局にて迂回され、ビジタ局のＰＳへの着信を可能とすることができるネットワークの迂回制御システムを提供することができる。
また、前記迂回路制御手段は、ホーム局収容のＰＳがビジタ局へ移動し、位置登録をした後、前記ＰＳ発信する場合において、ホーム局とビジタ局間の方路が全て使用中の時に、ホーム局にてＩＳＤＮレイヤ３の切断メッセージに付随可能な網間の制御情報をやりとりする情報要素にルーチング情報とＰＳ番号を編集し、発信局へ送出する手段と、発信局にてＩＳＤＮレイヤ３の呼設定メッセージに付随可能な網間の制御情報をやりとりする情報要素にＰＳ番号を編集し、ルーチング情報を基にビジタ局に迂回する手段とから構成されることを特徴としている。
このように構成すれば、送出手段がホーム局から発信局に対してＩＳＤＮレイヤ３切断メッセージにルーチング情報とＰＳ番号を付加して送出し、迂回手段がＩＳＤＮレイヤ３呼設定メッセージにＰＳ番号を付加してルーチング情報を基にビジタ局に迂回させることにより、ホーム局とビジタ局間の通話路を設定することが可能となる。
【００８５】
（２）また、前記迂回路制御手段は、発信局とホーム局間の中継局において、前記切断メッセージ受信時に、ルーチング情報を基にビジタ局へ迂回可能であれば、ＩＳＤＮレイヤ３の呼設定メッセージに付随可能な網間の制御情報をやりとりする情報要素にＰＳ番号を編集して迂回する手段と、ビジタ局に迂回できない時に、前記切断メッセージを中継する手段とを具備することにより、
中継局の迂回路制御手段が切断メッセージを受信時に、ルーチング情報を基にビジタ局へ迂回可能であれば迂回手段により迂回し、ビジタ局に迂回できない時には、前記中継手段は該切断メッセージを発信局に送信することにより、ホーム局とビジタ局との間に通話路を設定することが可能となる。
【００８６】
（３）また、前記迂回路制御手段は、ホーム局にてＩＳＤＮレイヤ３の切断メッセージにルーチング情報とＰＳ番号を編集するかしないかを選択する手段を具備することにより、
ホーム局で切断メッセージにルーチング情報とＰＳ番号の編集をするかしないかを選択手段により選択できるので、迂回制御を行なう必要がない時には、ルーチング情報とＰＳ番号を編集しないようにすることができる。
【００８７】
（４）また、前記迂回路制御手段は、ホーム局収容のＰＳがビジタ局へ移動し、位置登録をした後、前記ＰＳへ発信する場合において、ホーム局とビジタ局間の方路が全て使用中の時に、発信局にて切断メッセージ受信時に、付加サービスに使用するＩＳＤＮレイヤ３メッセージに付随可能な網間の制御情報をやりとりする情報要素にルーチング情報抽出要求を編集し、ホーム局へ送出する手段と、ホーム局にて前記付加サービスに使用するＩＳＤＮレイヤ３メッセージ受信時に、ルーチング情報抽出要求があれば付加サービスに使用するＩＳＤＮレイヤ３メッセージに付随可能な網間の制御情報をやりとりする情報要素にルーチング情報とＰＳ番号を編集し、発信局へ送出する手段と、発信局にて前記付加サービスに使用するＩＳＤＮレイヤ３メッセージ受信時に、ルーチング情報があればＩＳＤＮレイヤ３の呼設定メッセージに付随可能な網間の制御情報をやりとりする情報要素にＰＳ番号を編集し、ルーチング情報を基にビジタ局へ迂回する手段とを具備することにより、
ホーム局とビジタ局間の方路が全て使用中の時に、発信局は送出手段がルーチング情報抽出要求をホーム局へ送出し、ホーム局ではこのメッセージを受信すると、送出手段がルーチング情報とＰＳ番号を付加して発信局に送出し、一方迂回手段は、ルーチング情報を基にビジタ局に迂回することにより、ホーム局とビジタ局間の通話路を設定することが可能となる。
【００８８】
（５）また、前記迂回路制御手段は、発信局とホーム局間の中継局において、前記ルーチング情報抽出処理要求を含むメッセージ受信時に中継する手段と、前記ルーチング情報を含むメッセージ受信時に、ルーチング情報を基にビジタ局へ迂回可能であれば呼設定メッセージに付随可能な網間の制御情報をやりとりする情報要素にＰＳ番号を編集し迂回する手段と、ＩＳＤＮレイヤ３メッセージに付随可能な網間の制御情報をやりとりする情報要素に迂回実施済を編集し発信局へ送出する手段と、迂回できない場合に、前記ルーチング情報を含むメッセージを中継する手段とを具備することにより、
中継局において、ルーチング情報抽出要求を中継手段により中継し、ルーチング情報を基にビジタ局に迂回可能である場合には迂回手段によりＰＳ番号を付加して迂回し、送出手段が迂回実施済みを発信局に送出し、迂回できない場合には中継手段がメッセージを他の局に中継することにより、当該中継局で迂回可能な場合には迂回を実施し、迂回不可能な場合には、次の中継局にメッセージを中継することにより、最終的にホーム局とビジタ局間の通話路を設定することが可能となる。
【００８９】
（６）また、前記迂回路制御手段は、受信局にてＩＳＤＮレイヤ３のルーチング情報抽出要求を含むメッセージを送信するかしないかを選択する手段を具備することにより、
発信局側でルーチング情報抽出要求をするかしないかを必要に応じて選択することが可能となる。
【００９０】
（７）また、前記迂回路制御手段は、発信局及び中継局にて、ビジタ局へ迂回するかしないかを選択する手段を具備することにより、
発信局及び中継局にて、ビジタ局へ迂回するかしないかを必要に応じて選択することが可能となる。
【００９２】
（８）また、前記迂回路制御手段は、付加サービスに使用するＩＳＤＮレイヤ３メッセージとしてＦＡＣＩＬＩＴＹメッセージを使用し、網間の制御情報のやりとりで使用する情報要素としてＦＡＣＩＬＩＴＹ情報要素を使用することにより、
迂回路設定制御のために、ＦＡＣＩＬＩＴＹ情報要素を使用することが可能となる。
【００９３】
（９）更に、前記迂回路制御手段は、付加サービスに使用するＩＳＤＮレイヤ３メッセージとして、ＦＡＣＩＬＩＴＹメッセージ又はＦＡＣＩＬＩＴＹ  ＡＣＫメッセージを使用し、網間の制御情報のやりとりで使用する情報要素としてＦＡＣＩＬＩＴＩＥＳ情報要素を使用することにより、
ＦＡＣＩＬＩＴＩＥＳ情報要素を使用するため、迂回路設定のために、ＦＡＣＩＬＩＴＹメッセージ及びＦＡＣＩＬＩＴＹ  ＡＣＫメッセージを使用することが可能となる。
【００９４】
このように、本発明によれば、ホーム局からビジタ局への方路がない場合でも、ホーム局のみに記憶されているルーチング情報とＰＳ番号を着信元回線に返送することにより、発信局又は発信局とホーム局間の中継局にて迂回され、ビジタ局のＰＳへの着信を可能とすることができるネットワークの迂回制御システムを提供することが可能となる。
【図面の簡単な説明】
【図１】本発明の原理ブロック図である。
【図２】本発明の交換機の一実施の形態例を示すブロック図である。
【図３】本発明の第１の実施の形態例の動作を示すシーケンス図である。
【図４】本発明の第２の実施の形態例の動作を示すシーケンス図である。
【図５】本発明の第３の実施の形態例の動作を示すシーケンス図である。
【図６】本発明の第４の実施の形態例の動作を示すシーケンス図である。
【図７】本発明の第５の実施の形態例の動作を示すシーケンス図である。
【図８】本発明の一実施の形態例を示すブロック図である。
【図９】本発明の他の実施の形態例を示すブロック図である。
【図１０】ルーチング情報がある時のファシリティ情報要素フォーマット例を示す図である。
【図１１】ルーチング情報抽出要求／迂回実施済み時のファシリティ情報要素フォーマット例を示す図である。
【図１２】ＰＳ番号のみのファシリティ情報要素フォーマット例を示す図である。
【図１３】従来システムの概念図である。
【符号の説明】
４  加入者端末
５  ＰＨＳ
６  無線基地局
１０  交換機
１１  通信線
２０  通話路スイッチ部
３０  迂回路制御手段
【図１】
0003792797.tif 000002
【図２】
0003792797.tif 000003
【図３】
0003792797.tif 000004
【図４】
0003792797.tif 000005
【図５】
0003792797.tif 000006
【図６】
0003792797.tif 000007
【図７】
0003792797.tif 000008
【図８】
0003792797.tif 000009
【図９】
0003792797.tif 000010
【図１０】
0003792797.tif 000011
【図１１】
0003792797.tif 000012
【図１２】
0003792797.tif 000013
【図１３】
0003792797.tif 000014